(57)【特許請求の範囲】
【請求項１】
商品またはサービスに関する広告情報を発信する広告情報発信サーバーと、受注管理サーバーと、前記広告情報発信サーバー及び受注管理サーバーにネットワークを介して接続されたユーザー端末と、ユーザー端末に接続されたプリンタとを備えた、オンライン広告された商品等の発注システムであって、
前記ユーザー端末は、
商品またはサービス提供者の前記広告情報発信サーバー上のアドレスにアクセスすることにより、広告情報を取得する広告情報取得手段と、
前記取得した広告情報を表示するとともに、商品またはサービスの発注入力画面を表示する表示手段と、
前記表示手段に表示された広告情報が、前記プリンタで印刷されたか否かを判断する印刷判断手段と、
印刷判断手段により前記広告情報が印刷されたと判断された場合には、前記印刷された広告情報の提供先である前記アドレス及び印刷に要したコストを把握するための印刷コスト情報を前記受注管理サーバーに送信するとともに、ユーザが前記表示手段に表示された発注入力画面から商品またはサービスの発注入力を行った場合には、発注情報、発注入力画面のアドレス及び発注コスト情報を前記受注管理サーバーに送信する送信手段と、
を備え、
前記受注管理サーバーは、
前記ユーザー端末から送信された前記広告情報提供先のアドレス、印刷コスト情報、発注情報、発注入力画面のアドレス及び発注コスト情報を受信する受信手段と、
前記受信した広告情報提供先のアドレス、印刷コスト情報、発注情報、発注入力画面のアドレス及び発注コスト情報を記憶する記憶手段と、
前記記憶された発注入力画面のアドレスと広告情報の提供先であるアドレスとを比較する比較手段と、
比較手段により両アドレスが一致した場合には、前記発注コスト情報で示される発注コストから、前記印刷コスト情報から把握される印刷に要したコストを差し引く演算手段と、
を備えたことを特徴とするオンライン広告された商品等の発注システム。
【請求項２】
前記ユーザー端末は、商品またはサービス提供者の前記広告情報発信サーバー上のアドレスが記憶された可搬性記録媒体を着脱自在に装着するための装着部を備え、前記広告情報取得手段は前記装着部に装着された可搬性記録媒体に記憶された前記広告情報発信サーバー上のアドレスにアクセスすることにより、広告情報を取得する請求項１に記載のオンライン広告された商品等の発注システム。
【請求項３】
商品またはサービスに関する広告情報を発信する広告情報発信サーバーと、受注管理サーバーと、前記広告情報発信サーバー及び受注管理サーバーにネットワークを介して接続されるユーザー端末と、ユーザー端末に接続されたプリンタとを備えた、オンライン広告された商品等の発注システムで実行される発注方法であって、
前記ユーザー端末は、
前記広告情報発信サーバー上のアドレスにアクセスすることにより、広告情報を取得するステップと、
表示手段に、前記取得した広告情報を表示手段に表示するとともに、商品またはサービスの発注入力画面を表示手段に表示するステップと、
前記表示手段に表示された広告情報が、前記プリンタで印刷されたか否かを判断するステップと、
前記広告情報が印刷されたと判断された場合には、前記印刷された広告情報の提供先である前記アドレス及び印刷に要したコストを把握するための印刷コスト情報を前記受注管理サーバーに送信するとともに、ユーザが前記表示手段に表示された発注入力画面から商品またはサービスの発注入力を行った場合には、発注情報、発注入力画面のアドレス及び発注コスト情報を前記受注管理サーバーに送信するステップと、
を実行し、
前記受注管理サーバーは、
前記ユーザー端末から送信された前記広告情報提供先のアドレス、印刷コスト情報、発注情報、発注入力画面のアドレス及び発注コスト情報を受信するステップと、
前記受信した広告情報提供先のアドレス、印刷コスト情報、発注情報、発注入力画面のアドレス及び発注コスト情報を記憶するステップと、
前記記憶された発注入力画面のアドレスと広告情報の提供先であるアドレスとを比較するステップと、
比較ステップにおいて両アドレスが一致した場合には、前記発注コスト情報で示される発注コストから、前記印刷コスト情報から把握される印刷に要したコストを差し引く演算ステップと、
を実行することを特徴とするオンライン広告された商品等の発注方法。
【請求項４】
前記ユーザー端末は、商品またはサービス提供者の前記広告情報発信サーバー上のアドレスが記憶された可搬性記録媒体を着脱自在に装着するための装着部を備え、前記広告情報を取得するステップでは、前記装着部に装着された可搬性記録媒体に記憶された前記広告情報発信サーバー上のアドレスにアクセスすることにより、広告情報を取得する請求項３に記載のオンライン広告された商品等の発注方法。
【請求項５】
ネットワークを介して発信された広告情報に係る商品またはサービスについてのユーザー端末からの発注情報、発注入力画面のアドレス及び発注コスト情報を受信すると共に、前記広告情報がユーザー端末に接続されたプリンタで印刷された際に、ユーザー端末から送信された、印刷された広告情報の提供先のアドレス及び印刷に要したコストを把握するための印刷コスト情報を受信する手段と、
受信された前記発注入力画面のアドレスと広告情報の提供先であるアドレスとが同じか否かを判断する判断手段と、
同じであると判断された場合に、前記発注コスト情報で示される発注コストから、前記印刷コスト情報から把握される印刷に要したコストを差し引く料金演算手段と、
を備えたことを特徴とするオンライン広告された商品等の発注システムに用いられる受注管理サーバー。
【請求項６】
ネットワークを介して発信された広告情報に係る商品またはサービスについてのユーザー端末からの発注情報、発注入力画面のアドレス及び発注コスト情報を受信すると共に、前記広告情報がユーザー端末に接続されたプリンタで印刷された際に、ユーザー端末から送信された、印刷された広告情報の提供先のアドレス及び印刷に要したコストを把握するための印刷コスト情報を受信するステップと、
受信された前記発注入力画面のアドレスと広告情報の提供先であるアドレスとが同じか否かを判断するステップと、
同じであると判断された場合に、前記発注コスト情報で示される発注コストから、前記印刷コスト情報から把握される印刷に要したコストを差し引くステップと、
を備えたことを特徴とするオンライン広告された商品等の発注システムに用いられる受注管理サーバーの動作方法。
【請求項７】
ネットワークを介して発信された広告情報に係る商品またはサービスについてのユーザー端末からの発注情報、発注入力画面のアドレス及び発注コスト情報を受信すると共に、前記広告情報がユーザー端末に接続されたプリンタで印刷された際に、ユーザー端末から送信された、印刷された広告情報の提供先のアドレス及び印刷に要したコストを把握するための印刷コスト情報を受信するステップと、
受信された前記発注入力画面のアドレスと広告情報の提供先であるアドレスとが同じか否かを判断するステップと、
同じであると判断された場合に、前記発注コスト情報で示される発注コストから、前記印刷コスト情報から把握される印刷に要したコストを差し引くステップと、
をオンライン広告された商品等の発注システムに用いられる受注管理サーバーのＣＰＵに実行させるためのプログラム。
【請求項８】
請求項７に記載のプログラムが記録されたコンピュータ読み取り可能な記録媒体。
【請求項９】
商品またはサービスに関する広告情報を発信する広告情報発信サーバー及び受注管理サーバーにネットワークを介して接続されるとともに、プリンタが接続された端末用装置であって、
商品またはサービス提供者の前記広告情報発信サーバー上のアドレスにアクセスすることにより、広告情報を取得する広告情報取得手段と、
前記取得した広告情報を表示するとともに、商品またはサービスの発注入力画面を表示する表示手段と、
前記表示手段に表示された広告情報が、前記プリンタで印刷されたか否かを判断する印刷判断手段と、
印刷判断手段により前記広告情報が印刷されたと判断された場合には、前記印刷された広告情報の提供先である前記アドレス及び印刷に要したコストを把握するための印刷コスト情報を前記受注管理サーバーに送信するとともに、ユーザが前記表示手段に表示された発注入力画面から商品またはサービスの発注入力を行った場合には、発注情報、発注入力画面のアドレス及び発注コスト情報を前記受注管理サーバーに送信する送信手段と、
を備えたことを特徴とするオンライン広告された商品等の発注システムに用いられる端末用装置。
【請求項１０】
商品またはサービス提供者の前記広告情報発信サーバー上のアドレスが記憶された可搬性記録媒体を着脱自在に装着するための装着部を備え、前記広告情報取得手段は前記装着部に装着された可搬性記録媒体に記憶された前記広告情報発信サーバー上のアドレスにアクセスすることにより、広告情報を取得する請求項９に記載のオンライン広告された商品等の発注システムに用いられる端末用装置。
【請求項１１】
商品またはサービスに関する広告情報を発信する広告情報発信サーバー及び受注管理サーバーにネットワークを介して接続されるとともに、プリンタが接続された端末用装置のＣＰＵに動作を実行させるためのプログラムであって、
前記広告情報発信サーバー上のアドレスにアクセスすることにより、広告情報を取得するステップと、
表示手段に、前記取得した広告情報を表示するとともに、商品またはサービスの発注入力画面を表示するステップと、
前記表示された広告情報が、前記プリンタで印刷されたか否かを判断するステップと、
前記広告情報が印刷されたと判断された場合には、前記印刷された広告情報の提供先である前記アドレス及び印刷に要したコストを把握するための印刷コスト情報を前記受注管理サーバーに送信するとともに、ユーザが前記表示手段に表示された発注入力画面から商品またはサービスの発注入力を行った場合には、発注情報、発注入力画面のアドレス及び発注コスト情報を前記受注管理サーバーに送信するステップと、
を前記ＣＰＵに実行させるためのプログラム。
【請求項１２】
商品またはサービス提供者の前記広告情報発信サーバー上のアドレスが記憶された可搬性記録媒体を着脱自在に装着するための装着部を備え、前記広告情報を取得するステップでは、前記装着部に装着された可搬性記録媒体に記憶された前記広告情報発信サーバー上のアドレスにアクセスすることにより、広告情報を取得する処理を前記ＣＰＵに実行させる請求項１１に記載のプログラム。
【請求項１３】
請求項１１または１２に記載のプログラムが記録されたコンピュータ読み取り可能な記録媒体。
【請求項１４】
可搬性記録媒体を着脱可能な装着部と、
装着部に装着された前記記録媒体から、ネットワークを介して送信されてきた商品またはサービスに関する広告情報がプリンタで印刷されたときに書き込まれた、印刷された広告情報の提供先のアドレス及び印刷に要したコストを把握するための印刷コスト情報を読み出すとともに、ユーザが注文した商品またはサービスを示す注文情報を読み出す読み出し手段と、
商品またはサービスの提供者のアドレス及び、提供者の商品またはサービスを予め記憶する記憶手段と、
前記可搬性記録媒体から読み出されたアドレス及び注文情報で示される商品またはサービスと、前記記憶手段に記憶されているアドレス及び商品またはサービスとを比較することにより、注文された商品またはサービスが正当なものか否かを判断する判断手段と、
正当なものであると判断された場合には、前記読み出し手段により読み出された印刷コスト情報から把握される印刷に要したコストに基づいて、値引き料金または、商品またはサービスの料金を演算する料金演算手段と、
を備えたことを特徴とするオンライン広告された商品等の発注システムに用いられるデータ読み取り装置。
【請求項１５】
可搬性記録媒体を着脱可能な装着部を備え、
前記装着部に装着された可搬性記録媒体に、請求項１４に記載のデータ読み取り装置で読み取られる、印刷された広告情報の提供先のアドレス及び印刷に要したコストを把握するための印刷コスト情報を、ネットワークを介して送信されてきた商品またはサービスに関する広告情報がプリンタで印刷されたときに書き込むとともに、ユーザが注文した商品またはサービスを示す注文情報を書き込む書き込み手段と、
を備えたことを特徴とするデータ書き込み装置。
【請求項１６】
装着部に装着された可搬性記録媒体から、ネットワークを介して送信されてきた商品またはサービスに関する広告情報がプリンタで印刷されたときに書き込まれた、印刷された広告情報の提供先のアドレス及び印刷に要したコストを把握するための印刷コスト情報を読み出すとともに、ユーザが注文した商品またはサービスを示す注文情報を読み出すステップと、
前記可搬性記録媒体から読み出されたアドレス及び注文情報で示される商品またはサービスと、記憶手段に予め記憶されている商品またはサービスの提供者のアドレス及び提供者の商品またはサービスとを比較することにより、注文された商品またはサービスが正当なものか否かを判断する判断手段と、
正当なものであると判断された場合には、前記読み出された印刷コスト情報から把握される印刷に要したコストに基づいて、値引き料金または、商品またはサービスの料金を演算する料金演算手段と、
をオンライン広告された商品等の発注システムに用いられるデータ読み取り装置のＣＰＵに実行させるためのプログラム。
【請求項１７】
可搬性記録媒体を着脱可能な装着部に装着された前記可搬性記録媒体に、請求項１６に記載のプログラムにおけるデータ読み取りステップで読み取られる、印刷された広告情報の提供先のアドレス及び印刷に要したコストを把握するための印刷コスト情報を、ネットワークを介して送信されてきた商品またはサービスに関する広告情報がプリンタで印刷されたときに書き込むとともに、ユーザが注文した商品またはサービスを示す注文情報を書き込むステップを、
データ書き込み装置のＣＰＵに実行させるためのプログラム。
【請求項１８】
請求項１６〜１８に記載のプログラムが記録されたコンピュータ読み取り可能な記録媒体。
【発明の詳細な説明】
【０００１】
【発明の属する技術分野】
この発明は、ネットワークを介してユーザー端末に発信された商品またはサービスに関するオンライン広告に対して、ユーザーが前記商品等を発注するシステム及び方法、前記システムに用いられる受注管理サーバーとその動作方法、端末用装置、データ書き込み装置及び読み取り装置、プログラム並びに記録媒体に関する。
【０００２】
【従来の技術】
一般に、商品情報やサービス情報を得る機会としては、提供側にてこれらの情報を紙に印刷し、これを新聞などに挿入して各家庭に配達されてきたものを閲覧することによる場合が最もポピュラーであった。しかし、このような方式だけでは、提供側にて選択された情報しか得ることができないので、商品情報等をより幅広く得るためには、各店に出向いて行かざるを得なかった。
【０００３】
しかし、近年、インターネット等のネットワークの普及により、所望の商品情報やサービス情報にオンラインでアクセスしてその閲覧や確認を容易に行うことができるようになっている。このような方法により、関心のある情報を簡単に探索できる。
【０００４】
ところで、オンラインでアクセスした広告情報に基づいて、商品を購入するかどうかあるいはサービスを利用するかどうかを決定する場合、画面表示では読みづらいとか、２画面以上にわたる場合はスクロールが必要で面倒である、というような理由により、その広告情報をプリンタで紙面に印刷して検討することが多い。
【０００５】
さらに、探索している段階で、複数の候補となる情報を抽出した場合などには、これらを保存設定しておき、後からこれを再度読み出して比較検討するこちが行われるが、この場合も、保存・読み出しという手順が煩わしかったり、比較検討しずらいという理由から、その広告情報をプリンタで紙面に印刷することが多い。
【０００６】
特に決定に慎重さを要する場合や、情報量が多い場合、あるいは第三者に意見を求める場合等においては、じっくりと検討したり第三者に見せるためにも、紙面への印刷が行われている。
【０００７】
【発明が解決しようとする課題】
しかし、プリンタによる印刷では、紙やトナー等の消耗品を消耗することになり、その費用が発生してしまう。あるいは印刷モードの設定によって、費用が発生することもある。そのため、商品やサービスの情報内容には関心があっても、詳細な検討のために印刷することには抵抗感が生じる場合があり、この場合には、情報の提供側にとっては販売機会の損失にもつながってしまう。従って、このような印刷コストを、例えばユーザーが商品の購入やサービスの利用を決定した場合には、商品やサービスの提供側で負担できるようにすれば、ユーザーの商品購買意欲やサービス利用意欲を刺激する一因になり、販売促進効果の点から望ましい。
【０００８】
なお、特開２０００−６７３１２号公報には、インターネット等によるオンライン広告をパーソナルコンピュータなどの表示画面上で閲覧することにより、電子クーポンを発行するシステムが提案されている。また、特開平９−１１４７５５号公報には、インターネット等による情報の利用時に、パーソナルコンピュータなどの表示画面に広告を表示させるかどうか、表示させる場合にはどの広告を表示させるかを、それぞれユーザーが選択可能となっており、選択し表示された広告に応じて、インターネットの通信料金の一部を値引くシステムが提案されている。
【０００９】
しかしながら、これらのシステムは、オンラインで提供される広告情報を印刷した場合に、印刷コストを商品やサービスの提供側で負担するものではなかった。
【００１０】
この発明は、このような技術的背景に鑑みてなされたものであって、オンラインで提供される広告情報をプリンタで印刷した場合に、印刷コストを商品やサービスの提供側で負担することができる、オンライン広告された商品等の発注システム及び方法、前記システムに用いられる受注管理サーバーとその動作方法、端末用装置、データ書き込み装置及び読み出し装置、プログラム並びに記録媒体を提供することを課題とする。
【００１１】
【課題を解決するための手段】
上記課題は、商品またはサービスに関する広告情報を発信する広告情報発信サーバーと、受注管理サーバーと、前記広告情報発信サーバー及び受注管理サーバーにネットワークを介して接続されたユーザー端末と、ユーザー端末に接続されたプリンタとを備えた、オンライン広告された商品等の発注システムであって、前記ユーザー端末は、商品またはサービス提供者の前記広告情報発信サーバー上のアドレスにアクセスすることにより、広告情報を取得する広告情報取得手段と、前記取得した広告情報を表示するとともに、商品またはサービスの発注入力画面を表示する表示手段と、前記表示手段に表示された広告情報が、前記プリンタで印刷されたか否かを判断する印刷判断手段と、印刷判断手段により前記広告情報が印刷されたと判断された場合には、前記印刷された広告情報の提供先である前記アドレス及び印刷に要したコストを把握するための印刷コスト情報を前記受注管理サーバーに送信するとともに、ユーザが前記表示手段に表示された発注入力画面から商品またはサービスの発注入力を行った場合には、発注情報、発注入力画面のアドレス及び発注コスト情報を前記受注管理サーバーに送信する送信手段と、を備え、前記受注管理サーバーは、前記ユーザー端末から送信された前記広告情報提供先のアドレス、印刷コスト情報、発注情報、発注入力画面のアドレス及び発注コスト情報を受信する受信手段と、前記受信した広告情報提供先のアドレス、印刷コスト情報、発注情報、発注入力画面のアドレス及び発注コスト情報を記憶する記憶手段と、前記記憶された発注入力画面のアドレスと広告情報の提供先であるアドレスとを比較する比較手段と、比較手段により両アドレスが一致した場合には、前記発注コスト情報で示される発注コストから、前記印刷コスト情報から把握される印刷に要したコストを差し引く演算手段と、を備えたことを特徴とするオンライン広告された商品等の発注システム によって解決される。
【００１２】
この発注システムでは、広告情報発信サーバーから発信された商品またはサービスに関する広告情報をユーザー端末で閲覧したユーザーが、広告情報をプリンタで印刷した場合には、印刷判断手段により広告情報が印刷されたことが判断される。そして、印刷された広告情報の提供先のアドレス及び印刷に要したコストを把握するための印刷コスト情報が受注管理サーバーに送信されるとともに、ユーザが表示手段に表示された発注入力画面から商品またはサービスの発注入力を行った場合には、発注情報、発注入力画面のアドレス及び発注コスト情報が前記受注管理サーバーに送信される。
【００１３】
従って、受注管理サーバーは、前記広告情報が印刷されたことを認識でき、発注入力画面のアドレスと広告情報の提供先であるアドレスとが一致した場合には、発注コスト情報で示される発注コストから、前記印刷コスト情報から把握される印刷に要したコストを差し引くから、印刷コストを商品やサービスの提供側で負担することができる。
【００１５】
また、前記課題は、商品またはサービスに関する広告情報を発信する広告情報発信サーバーと、受注管理サーバーと、前記広告情報発信サーバー及び受注管理サーバーにネットワークを介して接続されるユーザー端末と、ユーザー端末に接続されたプリンタとを備えた、オンライン広告された商品等の発注システムで実行される発注方法であって、前記ユーザー端末は、前記広告情報発信サーバー上のアドレスにアクセスすることにより、広告情報を取得するステップと、表示手段に、前記取得した広告情報を表示手段に表示するとともに、商品またはサービスの発注入力画面を表示手段に表示するステップと、前記表示手段に表示された広告情報が、前記プリンタで印刷されたか否かを判断するステップと、前記広告情報が印刷されたと判断された場合には、前記印刷された広告情報の提供先である前記アドレス及び印刷に要したコストを把握するための印刷コスト情報を前記受注管理サーバーに送信するとともに、ユーザが前記表示手段に表示された発注入力画面から商品またはサービスの発注入力を行った場合には、発注情報、発注入力画面のアドレス及び発注コスト情報を前記受注管理サーバーに送信するステップと、を実行し、前記受注管理サーバーは、前記ユーザー端末から送信された前記広告情報提供先のアドレス、印刷コスト情報、発注情報、発注入力画面のアドレス及び発注コスト情報を受信するステップと、前記受信した広告情報提供先のアドレス、印刷コスト情報、発注情報、発注入力画面のアドレス及び発注コスト情報を記憶するステップと、前記記憶された発注入力画面のアドレスと広告情報の提供先であるアドレスとを比較するステップと、比較ステップにおいて両アドレスが一致した場合には、前記発注コスト情報で示される発注コストから、前記印刷コスト情報から把握される印刷に要したコストを差し引く演算ステップと、を実行することを特徴とするオンライン広告された商品等の発注方法によっても解決される。
【００１６】
この発注方法では、商品やサービスについてのオンラインによる広告情報を、プリンタで印刷した場合には、印刷された広告情報の提供先である前記アドレス及び印刷に要したコストを把握するための印刷コスト情報が受注管理サーバーに送信されるとともに、ユーザが表示手段に表示された発注入力画面から商品またはサービスの発注入力を行った場合には、発注情報、発注入力画面のアドレス及び発注コスト情報が受注管理サーバーに送信される。受注管理サーバーは、発注入力画面のアドレスと広告情報の提供先であるアドレスとが一致した場合には、発注コスト情報で示される発注コストから、前記印刷コスト情報から把握される印刷に要したコストを差し引く。
【００１８】
また、前記課題は、ネットワークを介して発信された広告情報に係る商品またはサービスについてのユーザー端末からの発注情報、発注入力画面のアドレス及び発注コスト情報を受信すると共に、前記広告情報がユーザー端末に接続されたプリンタで印刷された際に、ユーザー端末から送信された、印刷された広告情報の提供先のアドレス及び印刷に要したコストを把握するための印刷コスト情報を受信する手段と、受信された前記発注入力画面のアドレスと広告情報の提供先であるアドレスとが同じか否かを判断する判断手段と、同じであると判断された場合に、前記発注コスト情報で示される発注コストから、前記印刷コスト情報から把握される印刷に要したコストを差し引く料金演算手段と、を備えたことを特徴とするオンライン広告された商品等の発注システムに用いられる受注管理サーバーによっても解決される。
【００１９】
このサーバーでは、発注入力画面のアドレスと広告情報の提供先であるアドレスとが同じか否かが判断され、同じであると判断された場合に、発注コスト情報で示される発注コストから、印刷コスト情報から把握される印刷に要したコストが差し引かれる。このため、印刷コストを商品やサービスの提供側で負担することができる。また、異なる商品やサービスの情報についての印刷コストまで値引き料金に含めてしまうという不都合も防止できる。
【００２０】
また、前記課題は、ネットワークを介して発信された広告情報に係る商品またはサービスについてのユーザー端末からの発注情報、発注入力画面のアドレス及び発注コスト情報を受信すると共に、前記広告情報がユーザー端末に接続されたプリンタで印刷された際に、ユーザー端末から送信された、印刷された広告情報の提供先のアドレス及び印刷に要したコストを把握するための印刷コスト情報を受信するステップと、受信された前記発注入力画面のアドレスと広告情報の提供先であるアドレスとが同じか否かを判断するステップと、同じであると判断された場合に、前記発注コスト情報で示される発注コストから、前記印刷コスト情報から把握される印刷に要したコストを差し引くステップと、を備えたことを特徴とするオンライン広告された商品等の発注システムに用いられる受注管理サーバーの動作方法によっても解決される。
【００２１】
この動作方法においても、発注入力画面のアドレスと広告情報の提供先であるアドレスとが同じか否かが判断され、同じであると判断された場合に、発注コスト情報で示される発注コストから、印刷コスト情報から把握される印刷に要したコストが差し引かれる。このため、印刷コストを商品やサービスの提供側で負担することができる。
【００２２】
また、前記課題は、ネットワークを介して発信された広告情報に係る商品またはサービスについてのユーザー端末からの発注情報、発注入力画面のアドレス及び発注コスト情報を受信すると共に、前記広告情報がユーザー端末に接続されたプリンタで印刷された際に、ユーザー端末から送信された、印刷された広告情報の提供先のアドレス及び印刷に要したコストを把握するための印刷コスト情報を受信するステップと、受信された前記発注入力画面のアドレスと広告情報の提供先であるアドレスとが同じか否かを判断するステップと、同じであると判断された場合に、前記発注コスト情報で示される発注コストから、前記印刷コスト情報から把握される印刷に要したコストを差し引くステップと、をオンライン広告された商品等の発注システムに用いられる受注管理サーバーのＣＰＵに実行させるためのプログラムや、このプログラムが記録されたコンピュータ読み取り可能な記録媒体によっても解決される。
【００２３】
このプログラムあるいは記録媒体では、発注入力画面のアドレスと広告情報の提供先であるアドレスとが同じか否かが判断され、同じであると判断された場合に、発注コスト情報で示される発注コストから、印刷コスト情報から把握される印刷に要したコストを差し引くステップを、受注管理サーバーのＣＰＵに実行させることができる。従って、印刷に要したコストを商品やサービスの提供側で負担することができる。
【００２４】
また、前記課題は、商品またはサービスに関する広告情報を発信する広告情報発信サーバー及び受注管理サーバーにネットワークを介して接続されるとともに、プリンタが接続された端末用装置であって、商品またはサービス提供者の前記広告情報発信サーバー上のアドレスにアクセスすることにより、広告情報を取得する広告情報取得手段と、前記取得した広告情報を表示するとともに、商品またはサービスの発注入力画面を表示する表示手段と、前記表示手段に表示された広告情報が、前記プリンタで印刷されたか否かを判断する印刷判断手段と、印刷判断手段により前記広告情報が印刷されたと判断された場合には、前記印刷された広告情報の提供先である前記アドレス及び印刷に要したコストを把握するための印刷コスト情報を前記受注管理サーバーに送信するとともに、ユーザが前記表示手段に表示された発注入力画面から商品またはサービスの発注入力を行った場合には、発注情報、発注入力画面のアドレス及び発注コスト情報を前記受注管理サーバーに送信する送信手段と、を備えたことを特徴とするオンライン広告された商品等の発注システムに用いられる端末用装置によっても解決される。
【００２５】
この端末用装置では、表示手段に表示された広告情報がプリンタで印刷された場合には、前記印刷された広告情報の提供先のアドレス及び印刷に要したコストを把握するための印刷コスト情報が受注管理サーバーに送信されるとともに、ユーザが表示手段に表示された発注入力画面から商品またはサービスの発注入力を行った場合には、発注情報、発注入力画面のアドレス及び発注コスト情報が受注管理サーバーに送信される。
【００２６】
従って、商品等の提供元は、印刷コストを負担することができる。
【００２７】
また、前記課題は、商品またはサービスに関する広告情報を発信する広告情報発信サーバー及び受注管理サーバーにネットワークを介して接続されるとともに、プリンタが接続された端末用装置のＣＰＵに動作を実行させるためのプログラムであって、前記広告情報発信サーバー上のアドレスにアクセスすることにより、広告情報を取得するステップと、表示手段に、前記取得した広告情報を表示するとともに、商品またはサービスの発注入力画面を表示するステップと、前記表示された広告情報が、前記プリンタで印刷されたか否かを判断するステップと、前記広告情報が印刷されたと判断された場合には、前記印刷された広告情報の提供先である前記アドレス及び印刷に要したコストを把握するための印刷コスト情報を前記受注管理サーバーに送信するとともに、ユーザが前記表示手段に表示された発注入力画面から商品またはサービスの発注入力を行った場合には、発注情報、発注入力画面のアドレス及び発注コスト情報を前記受注管理サーバーに送信するステップと、を前記ＣＰＵに実行させるためのプログラムや、このプログラムが記録されたコンピュータ読み取り可能な記録媒体によっても解決される。
【００２８】
このプログラムや記録媒体では、表示手段に表示された広告情報がプリンタで印刷された場合には、前記印刷された広告情報の提供先のアドレス及び印刷に要したコストを把握するための印刷コスト情報が受注管理サーバーに送信されるとともに、ユーザが表示手段に表示された発注入力画面から商品またはサービスの発注入力を行った場合には、発注情報、発注入力画面のアドレス及び発注コスト情報が受注管理サーバーに送信されるように、端末用装置を動作させることができる。従って、商品等の提供側は、印刷コストを負担することができる。
【００３５】
また、前記課題は、可搬性記録媒体を着脱可能な装着部と、装着部に装着された前記記録媒体から、ネットワークを介して送信されてきた商品またはサービスに関する広告情報がプリンタで印刷されたときに書き込まれた、印刷された広告情報の提供先のアドレス及び印刷に要したコストを把握するための印刷コスト情報を読み出すとともに、ユーザが注文した商品またはサービスを示す注文情報を読み出す読み出し手段と、商品またはサービスの提供者のアドレス及び、提供者の商品またはサービスを予め記憶する記憶手段と、前記可搬性記録媒体から読み出されたアドレス及び注文情報で示される商品またはサービスと、前記記憶手段に記憶されているアドレス及び商品またはサービスとを比較することにより、注文された商品またはサービスが正当なものか否かを判断する判断手段と、正当なものであると判断された場合には、前記読み出し手段により読み出された印刷コスト情報から把握される印刷に要したコストに基づいて、値引き料金または、商品またはサービスの料金を演算する料金演算手段と、を備えたことを特徴とするオンライン広告された商品等の発注システムに用いられるデータ読み取り装置や、可搬性記録媒体を着脱可能な装着部を備え、前記装着部に装着された可搬性記録媒体に、請求項１４に記載のデータ読み取り装置で読み取られる、印刷された広告情報の提供先のアドレス及び印刷に要したコストを把握するための印刷コスト情報を、ネットワークを介して送信されてきた商品またはサービスに関する広告情報がプリンタで印刷されたときに書き込むとともに、ユーザが注文した商品またはサービスを示す注文情報を書き込む書き込み手段と、を備えたことを特徴とするデータ書き込み装置、によっても解決される。
【００３６】
このデータ読み取り装置では、可搬性記録媒体から、印刷された広告情報の提供先のアドレス及び印刷に要したコストを把握するための印刷コスト情報が読み出されるとともに、ユーザが注文した商品またはサービスを示す注文情報が読み出され、これらの読み出されたアドレス及び注文情報で示される商品またはサービスと、予め記憶手段に記憶されているアドレス及び商品またはサービスとを比較することにより、注文された商品またはサービスが正当なものか否かが判断される。そして、正当と判断された場合に、前記読み出された印刷コスト情報から把握される印刷に要したコストに基づいて、値引き料金または、商品またはサービスの料金が演算される。このため、販売店側で印刷コスト分を値引くことが可能となる。また、前記書き込み装置では、装着部に装着された可搬性記録媒体に、印刷された広告情報の提供先のアドレス及び印刷に要したコストを把握するための印刷コスト情報が、ネットワークを介して送信されてきた商品またはサービスに関する広告情報がプリンタで印刷されたときに書き込まれるとともに、ユーザが注文した商品またはサービスを示す注文情報が書き込まれる。
【００３７】
また、前記課題は、装着部に装着された可搬性記録媒体から、ネットワークを介して送信されてきた商品またはサービスに関する広告情報がプリンタで印刷されたときに書き込まれた、印刷された広告情報の提供先のアドレス及び印刷に要したコストを把握するための印刷コスト情報を読み出すとともに、ユーザが注文した商品またはサービスを示す注文情報を読み出すステップと、前記可搬性記録媒体から読み出されたアドレス及び注文情報で示される商品またはサービスと、記憶手段に予め記憶されている商品またはサービスの提供者のアドレス及び提供者の商品またはサービスとを比較することにより、注文された商品またはサービスが正当なものか否かを判断する判断手段と、正当なものであると判断された場合には、前記読み出された印刷コスト情報から把握される印刷に要したコストに基づいて、値引き料金または、商品またはサービスの料金を演算する料金演算手段と、をオンライン広告された商品等の発注システムに用いられるデータ読み取り装置のＣＰＵに実行させるためのプログラムや、可搬性記録媒体を着脱可能な装着部に装着された前記可搬性記録媒体に、請求項１６に記載のプログラムにおけるデータ読み取りステップで読み取られる、印刷された広告情報の提供先のアドレス及び印刷に要したコストを把握するための印刷コスト情報を、ネットワークを介して送信されてきた商品またはサービスに関する広告情報がプリンタで印刷されたときに書き込むとともに、ユーザが注文した商品またはサービスを示す注文情報を書き込むステップを、データ書き込み装置のＣＰＵに実行させるためのプログラムや、これらのプログラムが記録されたコンピュータ読み取り可能な記録媒体によっても解決される。
【００３８】
これらのプログラムや記録媒体では、装着部に装着された可搬性記録媒体に、印刷された広告情報の提供先のアドレス及び印刷に要したコストを把握するための印刷コスト情報が、ネットワークを介して送信されてきた商品またはサービスに関する広告情報がプリンタで印刷されたときに書き込まれるとともに、ユーザが注文した商品またはサービスを示す注文情報が書き込まれ、あるいはこれらの情報が読み出され、これらの読み出されたアドレス及び注文情報で示される商品またはサービスと、予め記憶手段に記憶されているアドレス及び商品またはサービスとを比較することにより、注文された商品またはサービスが正当なものか否かが判断される。そして、正当と判断された場合に、前記読み出された印刷コスト情報から把握される印刷に要したコストに基づいて、値引き料金または、商品またはサービスの料金が演算される。
【００３９】
【発明の実施の形態】
以下、この発明の一実施形態を図面に基づいて説明する。
【００４０】
図１は、この発明の一実施形態に係るオンライン広告された商品等の発注システムの構成図である。
【００４１】
図１において、１はウェブサーバー、２は受注管理サーバー、３は１台または２台以上のユーザー端末（以下、単に端末という）であり、これらはインターネット等のネットワーク４を介して相互に接続されている。また、５はプリンタであり、端末３に直接にあるいはＬＡＮ等のネットワークを介して接続されている。
【００４２】
前記ウェブサーバー１は、広告情報提供者が直接にあるいは広告情報提供者の依頼により、商品またはサービスに関する広告情報を発信する広告情報発信手段として機能する。また、前記受注管理サーバー２は、ユーザーが端末３を介して発注した商品やサービスの発注情報や、前記広告情報が印刷されたときの印刷に関連する情報等を受信して、その管理を行うものである。
【００４３】
前記受注管理サーバー２の電気的構成を図２に示す。この受注管理サーバー２は、全体動作を制御するＣＰＵ２１と、ＣＰＵ２１を動作させるためのプログラムが格納されたＲＯＭ２２と、データ処理時の作業領域として機能するＲＡＭ２３とを備え、さらに受注用データ記憶部２４、比較部２５、料金演算部２６、通信制御部２７を備えている。
【００４４】
前記受注用データ記憶部２４は、前記端末３から送られてきた発注情報や印刷に関連する情報等を記憶しておくものである。また、前記比較部２５は、後述するように、発注された商品またはサービスと、印刷された広告情報に係る商品またはサービスとが同じか否かを比較判断する機能を有する。また、前記料金演算部２６は、比較の結果、発注された商品またはサービスと、印刷された広告情報に係る商品またはサービスとが同じである場合には、印刷に関連する情報から把握される印刷コストに関連した金額を割引料金として、商品またはサービスに対する料金から差し引くものである。印刷コストに関連した金額は、印刷コストそのものであっても良いし、印刷コストの１．１倍とか２倍等のように適宜増額あるいは減額した金額であっても良い。なお、例えば発注時の通信費等の発注に要する費用から差し引いても良い。前記通信制御部２７は、ネットワーク４を介して情報の送受信を行う。
【００４５】
図３は前記端末３の正面図である。この端末３はデータ書き込み装置として機能するものであり、パーソナルコンピュータ等からなり、表示部３１、本体３２、発注情報等の入力手段としてのキーボード等からなる操作部３３を備えている。また、前記本体３２には、可搬性記録媒体６を着脱自在に装着するための挿入部３４が設けられている。なお、可搬性記録媒体としては、スマートカード（ＩＣカード）、フロッピィディスク、光磁気ディスクその他の可搬性のものを任意に採用可能である。この実施形態では、スマートカードが用いられており、以下、可搬性記録媒体６をスマートカードまたは単にカードと称す。
【００４６】
前記端末３の電気的構成を図４に示す。端末３は、前述した表示部３１、操作部３３を備えるほか、全体動作を制御するＣＰＵ３５、ＣＰＵ３５を動作させるためのプログラムが格納されたＲＯＭ３６、データ処理時の作業領域として機能するＲＡＭ３７、通信制御部３８、読み書き部３９を備えている。
【００４７】
前記通信制御部３８は、ネットワーク４を介してウェブサーバー１や受注管理サーバー２との間で、情報の送受を行うためのものである。また、前記読み書き部３９は、ＣＰＵ３５の制御に基づいて、カード挿入部３４に装着されたスマートカード６に対して情報の読み書きを実行するものである。
【００４８】
前記スマートカード６には、図５に示すように、予め販売者のアドレス（広告情報発信元）やユーザー認識情報が格納されており、前記カード挿入部３４にカード６を挿入すると、装着されたことを読み書き部３９が認識するとともに、前記販売者のアドレスを読み込み、端末３が自動的にウェブサーバー１の前記アドレスにアクセスする構成となされており、面倒なアドレス入力操作が不要となされている。
【００４９】
なお、スマートカード６は、例えば販売者が自己のアドレスを上書き不能に書き込んでユーザーに提供しても良いし、あるいは一般の記録媒体に販売者のアドレスを書き込んだものであっても良い。
【００５０】
また、前記端末３は、表示部３１に表示されているウェブサーバー１からの広告情報が、端末３に接続されたプリンタ５によって印刷されたか否かを判断する機能を有している。具体的には、表示部３１に表示されている広告情報がプリンタ５によって印刷され、それが完了したことを示すフラグが立ったときに、印刷を管理しているプリントマネージャーをチェックする。
【００５１】
そして、前記広告情報が印刷されたと判断されたときは、スマートカード６に、前記書き込み部３９により、図５に示すような印刷に関連する情報が書き込まれるようになっている。印刷に関連する情報として、この実施形態では印刷コスト情報、具体的には、印刷の有無、消費トナー量（トナー代）、用紙枚数（用紙代）、使用プリンタ名が書き込まれる。
【００５２】
さらに、前記スマートカード６には、広告情報にアクセスしたときに発生する通信費等の費用（アクセス時のコスト）や、発注時に発生する通信費等の費用（発注コスト）、注文商品に関する情報が書き込まれるようになっている。アクセス時のコストは、広告情報にアクセスした際に書き込まれ、発注コストや注文商品に関する情報は、発注が行われた際に書き込まれる。なお、コスト発生日時も併せて書き込むものとしても良い。
【００５３】
次に、図１に示した発注システムの動作を説明する。
【００５４】
この発注システムにおける情報の流れは、概略的に図６に示したようになる。即ち、カード６に記録されたアドレスに端末３から自動アクセスすると、ウェブサーバー１から対応する広告情報が提供され、図９の（ａ）に示すような広告画面が端末３の表示部３１に表示される。この広告情報をプリンタ５で印刷すると、印刷の完了が端末３で検出され、印刷コスト情報がカード６に書き込まれる。
【００５５】
そして、ユーザーが広告情報に係る商品を購入しまたはサービスを受けるために、図９（ｂ）に示す発注入力画面において発注入力を行った場合には、発注入力画面のアドレス情報を含む発注情報と、印刷が実施されたことを示す前記印刷コスト情報とを、受注管理サーバー２に送信する。これらの情報を受信した受注管理サーバー２は、値引きのための処理を行う。
【００５６】
図７は、端末３で実行される処理を示すフローチャートである。なお、この処理は、端末３のＣＰＵ３５がＲＯＭ３６に格納されたプログラムに従って動作することにより、実行される。ＲＯＭ３６に格納されたプログラムは、予めインストールされたものであっても良いし、ＣＤ−ＲＯＭ等の記録媒体からインストールされたものであっても良いし、あるいはネットワークからのダウンロードによって格納されたものであっても良い。
【００５７】
まず、Ｓ７１において、ＣＰＵ３５は、カード挿入部３４にスマートカード６が挿入されたか否かを判断する。挿入されていなければ（Ｓ７１にてＮＯ）、処理を終了する。挿入されていれば（Ｓ７１にてＹＥＳ）、Ｓ７２でカード６から販売者のアドレスを読み出し、Ｓ７３で、ウェブサーバー１における前記アドレスのサイトへアクセスする。ウェブサーバー１からは対応する広告情報が配信されるから、Ｓ７４でこれを受信し、Ｓ７５で表示部３１に表示する。
【００５８】
次に、Ｓ７６で、表示部３１に表示された広告情報について、印刷が実施されたか否かを判断する。印刷が実施されると（Ｓ７６にてＹＥＳ）、Ｓ７７で、印刷完了フラグが立ったかどうかを判断する。フラグが立たなければ（Ｓ７７にてＮＯ）、立つまで待つ。フラグが立つと（Ｓ７７にてＹＥＳ）、Ｓ７８でプリントマネージャをチェックし、Ｓ７９で、カード６に印刷コスト情報（印刷有り、消費トナー量、用紙枚数、使用プリンタ名）を読み書き部３９を介して書き込んだのち、Ｓ８０に進む。このように、フラグが立ったか否かを判断し、プリントマネージャーをチェックするので、印刷の実施に関する信頼性が増す。Ｓ７６において、印刷が実施されないときは（Ｓ７６にてＮＯ）、そのままＳ８０に進む。
【００５９】
Ｓ８０では、ユーザーによる操作部３３の操作により、発注画面において、広告情報に係る商品を購入しまたはサービスを受けるための発注入力がなされたか否かを判断する。発注入力があれば（Ｓ８０にてＹＥＳ）、Ｓ８１で、カードに記録されているユーザー情報、印刷コスト情報、アクセスコスト情報、発注コスト情報及び注文商品情報を、発注情報とともに受注管理サーバー２に送信して、処理を終了する。発注入力がないときは（Ｓ８０にてＮＯ）、そのまま終了する。
【００６０】
図８は、受注管理サーバー２の処理を示すフローチャートである。なお、この処理は、受注管理サーバー２のＣＰＵ２１がＲＯＭ２２に格納されたプログラムに従って動作することにより、実行される。ＲＯＭ２２に格納されたプログラムは、予めインストールされたものであっても良いし、ＣＤ−ＲＯＭ等の記録媒体からインストールされたものであっても良いし、あるいはネットワークからのダウンロードによって格納されたものであっても良い。
【００６１】
まず、Ｓ８１において、ＣＰＵ２１は端末３から発注があったか否かを判断する。発注があったときは（Ｓ８１にてＹＥＳ）、Ｓ８２で、送信されてきた発注情報、ユーザー情報、印刷コスト情報、アクセスコスト情報、発注コスト情報、注文商品情報等を認識し、受注用データ記憶部２４に記憶する。発注がなかったときは（Ｓ８１にてＮＯ）、処理を終了する。
【００６２】
続いて、Ｓ８３で、印刷した広告情報のアドレス（カードに記録されている販売者のアドレス）と、発注情報に含まれる発注入力画面のアドレスとを、比較部２５により比較し、一致しているか否かを判断する。このように、アドレス同士を比較するので、広告情報が印刷されたことに対する信頼性が増大する。
【００６３】
アドレスが一致していれば（Ｓ８３にてＹＥＳ）、Ｓ８４で、認識した情報に従って、料金演算部２６が料金を演算する。具体的には、図１０に示すように、印刷コスト情報から把握される印刷コストａ、サイトへのアクセスにかかった通信コストｂ、発注時のアクセスにかかった通信コストｃ、その他ユーザーに特別に設定されている割引料金ｄを加算して値引き料金とし、この値引き料金を注文商品やサービスの金額から差し引いて、支払い金額とする。
【００６４】
なお、Ｓ８３において、アドレスが一致しなければ（Ｓ８３にてＮＯ）、処理を終了する。この場合は、印刷に伴う値引きはない。
【００６５】
このように、印刷コストを商品等の金額から値引きし、あるいはさらにサイトへのアクセスコスト、発注時のアクセスコスト等を値引きするから、ユーザーの商品購買意欲やサービス利用意欲を刺激することができ、販売促進効果を増大することができる。
【００６６】
図１１はこの発明の他の実施形態を示すものである。この実施形態では、印刷コストの値引きを販売店で行う形式のシステムを示している。つまり、広告情報が印刷されたときに、スマートカード６には印刷コスト情報が書き込まれる。その他スマートカード６に書き込まれる情報は、図５に示したものと同一である。
【００６７】
而して、発注入力がなされたときは、発注情報やユーザー認識情報のみが受注管理サーバー２に送信され、印刷コスト情報、アクセスコスト情報、発注コスト情報等のコスト情報は、送信されないようになっている。
【００６８】
そして、ユーザーは各コスト情報が記録されたスマートカード６を持参して販売店まで出向き、店内に設置されたデータ読み取り装置７にカード６をセットすると、読み取り装置７がカード６からコスト情報等を読みとって、値引き料金の演算あるいは商品等の料金の演算を行うものとなされている。
【００６９】
前記データ読み取り装置７の外観を図１２に示す。このデータ読み取り装置７は、本体の一側部に設けられたカード挿入部７１と、上面に設けられた操作キーからなる操作部７６と、表示部７５を有している。
【００７０】
データ読み取り装置７の電気的構成を図１３に示す。
【００７１】
この読み取り装置７は、前記カード挿入部７１、操作部７６、表示部７５の他に、全体動作を制御するＣＰＵ７２と、ＣＰＵを動作させるためのプログラムが格納されたＲＯＭ７３と、データ処理時の作業領域として機能するＲＡＭ７４を備え、さらに通信制御部７７と、販売者アドレス用データベース７８と、商品データベース７９と、比較部８０と、読み書き部８１と、料金演算部８２を備えている。
【００７２】
前記通信制御部７７は、直接にあるいはネットワークを介して接続された前記受注管理サーバー２等との間で、データの送受を行うためのものである。
【００７３】
前記販売者アドレス用データベース７８には、商品やサービスの販売者のアドレス情報が予め記録されており、商品データベース７９には商品やサービスについての情報が予め記録されている。
【００７４】
前記比較部８０は、スマートカード６に記録された販売者のアドレス及び注文商品情報を読み出し、これらを、販売者アドレス用データベース７８及び商品データベース７９に記録されている正規の販売者のアドレス及び商品（サービス）と比較し、スマートカード６に記録された販売者のアドレス及び発注した商品等が正当なものであるか否かを判断するものである。
【００７５】
前記読み書き部８１は、カード挿入部７１に装着されたスマートカード６に対する情報の読み取りあるいは書き込みの機能を有する
前記料金演算部８２は、前記比較部８０での比較の結果、スマートカード６に記録された販売者のアドレス及び商品等が正当なものである場合に、読み書き部８１を介して読み出されたスマートカード６のコスト情報から、値引き金額を演算するものである。
【００７６】
前記データ読み取り装置７の処理を図１４のフローチャートで説明する。なお、この処理は、読取装置７のＣＰＵ７２がＲＯＭ７３に格納されたプログラムに従って動作することにより、実行される。ＲＯＭ７３に格納されたプログラムは、予めインストールされたものであっても良いし、ＣＤ−ＲＯＭ等の記録媒体からインストールされたものであっても良いし、あるいはネットワークからのダウンロードによって格納されたものであっても良い。
【００７７】
ユーザーは、発注情報を端末３から受注管理サーバー２に送信した後、スマートカード６を販売店に持ち込み、読み取り装置７のカード挿入口７１に装着する。カード６には、図５に示した各種の情報が書き込まれている。
【００７８】
Ｓ１３１で、ＣＰＵ７２は、カード６が挿入部７１に挿入されたか否かをチェックし、挿入されていれば（Ｓ１３１にてＹＥＳ）、Ｓ１３２で、カード６から販売者のアドレス、注文商品情報を読み出す。そして、Ｓ１３３で、販売者のアドレス及び注文した商品（サービス）を、販売者アドレス用データベース７８及び商品データベース７９に記録されている正規の販売者のアドレス及び商品（サービス）と、比較部８０を介して比較する。比較の結果、正規のアドレス及び商品（サービス）であるときは（Ｓ１３４の判定がＹＥＳ）、Ｓ１３５で、読み書き部８１を介してカード６からコスト情報を読み出す。
【００７９】
次いで、Ｓ１３６でコスト情報に基づいて値引き金額を演算した後、Ｓ１３７で、演算した値引き金額を表示部７５に表示して、処理を終了する。なお、値引き金額は、図１０の（ａ＋ｂ＋ｃ＋ｄ）と同じである。
【００８０】
販売店は、受注管理サーバー２に発注された発注情報を確認の上、値引き金額を差し引いて、商品あるいはサービスの代金を決定する。なお、受注管理サーバー２に発注された発注情報を読み取り装置７に転送して、読み取り装置７で発注の自動確認を行うようにしても良い。また、値引き金額の演算に加えて、この値引き金額を差し引いた最終的な商品あるいはサービスの代金を、読み取り装置７に演算させる構成であっても良い。
【００８１】
このように、印刷費用を商品等の金額から値引きし、あるいはさらにサイトへのアクセス費用、発注時のアクセス費用等を値引きするから、ユーザーの商品購買意欲やサービス利用意欲を刺激することができ、販売促進効果を増大することができる。
【００８２】
なお、発注を受注管理サーバー２を介して行うのではなく、販売店へのカード持ち込み時に口頭にて行っても良い。
【００８３】
以上、この発明の実施形態を説明したが、この発明は上記実施形態に限定されることはない。例えば、ウェブサーバー１と受注管理サーバー２とを別々のものとして構成したが、ウェブサーバー１と受注管理サーバー２とを一つのサーバーで構成しても良い。
【００８４】
また、商品またはサービスの発注と共に印刷に関連する情報を広告情報提供者側に知らせて、印刷コストを値引く構成としたが、ユーザーの来店時等に印刷コストをまとめて値引いても良い。また、広告情報の印刷を行ったものの、発注を行わなかった場合も、印刷に関連する情報を情報提供者に知らせておき、次回発注時に印刷コスト分を還元する構成としても良い。
【００８５】
また、印刷に関連する情報として、印刷の有無、トナー量、用紙枚数、使用プリンタ名を例示したが、このほかに用紙サイズ、モノクロ印刷かカラー印刷か、プリント解像度、表示の色味とプリントの色味との組み合わせ（カラーマッチング）の処理を施すか否か、等の情報であっても良く、これらに基づいて印刷コストを算出すれば良い。また、プリンタの方式も電子写真方式のものだけでなく、インクジェット方式や熱転写方式のものであっても良い。また、印刷コストの算出は、予め端末３側で行っておいても良いし、あるいは受注管理サーバー２やデータ読み取り装置７側で行っても良い。
【００８６】
【発明の効果】
この発明によれば、オンライン広告において、ユーザーが商品の購入やサービスの利用を決定した場合には、その広告情報の印刷に要した費用を、商品やサービスの提供側で負担することが可能になるから、商品購買意欲やサービス利用意欲を刺激する一因になり、販売促進効果を増大することができる。
【図面の簡単な説明】
【図１】この発明の一実施形態に係る発注システムを示すブロック図である。
【図２】図１のシステムに用いられる受注管理サーバーの構成を示すブロック図である。
【図３】図１のシステムに用いられるユーザー側端末の正面図である。
【図４】同じく端末の構成を示すブロック図である。
【図５】可搬性記録媒体の格納情報を示すテーブルである。
【図６】図１のシステムにおける情報の流れを示すブロック図である。
【図７】端末側の動作を示すフローチャートである。
【図８】受注管理サーバー側の動作を示すフローチャートである。
【図９】広告情報の表示画面と発注入力の画面を示す図である。
【図１０】値引き金額の明細を示す表である。
【図１１】この発明の他の実施形態を示すもので、発注システムにおける情報の流れを示すブロック図である。
【図１２】図１１のシステムに用いられるデータ読み取り装置の外観を示す斜視図である。
【図１３】同じく読取装置の電気的構成を示すブロック図である。
【図１４】同じく読取装置の動作を示すフローチャートである。
【符号の説明】
１・・・・・・・・ウェブサーバー（広告情報発信手段）
２・・・・・・・・受注管理サーバー
３・・・・・・・・ユーザー端末（データ書き込み装置）
５・・・・・・・・プリンタ
６・・・・・・・・スマートカード（可搬性記録媒体）
７・・・・・・・・読取装置（データ読取装置）
２１・・・・・・・ＣＰＵ（コンピュータ）
２２・・・・・・・ＲＯＭ（記録媒体）
２６・・・・・・・料金演算部
３４・・・・・・・カード挿入部（記憶媒体装着手段）
３５・・・・・・・ＣＰＵ（コンピュータ、印刷判断手段）
３６・・・・・・・ＲＯＭ（記録媒体）
３８・・・・・・・通信制御部（送信手段）
３９・・・・・・・読み書き部（書き込み手段）
７１・・・・・・・カード挿入部（記憶媒体装着手段）
７２・・・・・・・ＣＰＵ（コンピュータ）
７３・・・・・・・ＲＯＭ（記録媒体）
８２・・・・・・・料金演算部
【図１】
0004258997.tif 000002
【図２】
0004258997.tif 000003
【図３】
0004258997.tif 000004
【図４】
0004258997.tif 000005
【図５】
0004258997.tif 000006
【図６】
0004258997.tif 000007
【図７】
0004258997.tif 000008
【図８】
0004258997.tif 000009
【図９】
0004258997.tif 000010
【図１０】
0004258997.tif 000011
【図１１】
0004258997.tif 000012
【図１２】
0004258997.tif 000013
【図１３】
0004258997.tif 000014
【図１４】
0004258997.tif 000015